(57)【要約】      （修正有）【課題】着物着用時の胸、腰、ウエスト、鳩尾の補正を下着に一体化させることにより、補正の煩雑さ、難しさ、苦しさを解消し、体型の違いにも調節可能な着物用補正下着を提供する。【解決手段】下着に胸、ウエストの補正具をすべて取り付けて一体化させ、胸の補正具１を可動させることで体型にあった補正ができ、胸の補正具１がクロスしてみぞおちの補正を兼ね備え、胸の補正具１、ウエストの補正具４が体型の変化に対応できるような長さがあると共に、補正部分ごとに開口部６があり、不足分を補えるようにした一体型補正下着である。【選択図】図４
0003171429.tif 000002
【実用新案登録請求の範囲】
【請求項１】
着物用下着であって、胸、腰、ウエスト、鳩尾の補正具が下着に一体化され、かつ体型に応じた調節ができることを特徴とする着物用一体型補正下着
【請求項２】
前記胸の補正具はその一端が肩に固定され、他の部分は可動であることを特徴とする請求項１に記載の着物用一体型補正下着
【考案の詳細な説明】
【技術分野】
【０００１】本考案は着物を着用する際に好適な体型に補正する着物用補正下着に関するものである。
【背景技術】
【０００２】現在市場に流通している補正下着も、補正に使用するパーツの形が決まっていて、補正部位が限局されている等、過不足があり、体型の個別性を解消しにくかった。【０００３】従来着物の補正は、胸、腰、ウエストと部位毎にしていた為、バスタオル、タオル、脱脂綿、などの道具や紐を多数準備しなければならず煩雑であり、補正道具、紐を多用する為、着用感が良くなかった。
また、体型、胸の大きい、痩せている、腰のくぼみが大きいに応じて用意するものが違い、補正方法が個別的であったため、美しい、着崩れしない補正を実行するのには、多少の知識や技術が必要で、着付けにもかなりの労力、時間を費やした。
【先行技術文献】
【特許文献】
【０００４】
【特許文献１】  実用新案第３０１７２１３
【考案が解決しようとする課題】
【０００５】  本考案は、着物を美しく着るための、補正道具を準備する煩雑さを解消し、補正の技術が無くても美しい、着崩れしない補正の提供と、太っている、痩せている、胸が大きい、小さい等の体型の違いによる、補正の個別性を解消することを課題とする
【課題を解決するための手段】
【０００６】  本考案は胸、腰、ウエスト、みぞおちの補正具が肌着に取り付けられた一体型補正下着とする事と、胸、ウエストの補正具が可動する事で体型による個別性の不具合を解消するという上記課題を解決した。
【０００７】土台となる肌着の前方肩山にバストの押さえの役目と胸のくぼみをふっくらと補正する前補正具を左右の肩に可動するように取り付け、これを体型に応じ胸にそわせクロスすることで鳩尾の補正機能を持たせた。
【０００８】土台となる肌着の後方には腰の補正とウエストの補正が出来る一体型補正具を取り付け、痩せた方、太った方等体型の違うウエストにも使用できるようにウエストの補正部分は巻き込み式にした。ウエストの補正具で、胸の下で苦しくなくしっかりと押さえられるので、補正部分が動かず着崩れない。
【０００９】前の補正部、ウエストの補正部それぞれに不足した補正が出来るように開口部を作った。
【考案の効果】
【００１０】本品は胸、腰、ウエストの補正具が一体化して下着に取り付けることで、補正の準備の煩雑さと補正の難しさを解消し、胸部分は可動性のある補正具を取り付けたことで、バストの押さえの役目と胸のくぼみを補正し、かつ鳩尾の補正が簡単に出来る。腰のくぼみとウエストのくぼみの補正も一体化しており、巻きつけるだけで簡単であり、ウエストの大小にも使用できる。胸、ウエスト部分の補正部分が胸の下で苦しくなくかつ、しっかりと押さえられるようになっているので、補正部分が動かず着崩れない。胸、ウエストの補正具には開口部があり体型による不足を解消することが出来る。なお、和装用下着として肌襦袢、裾除けと一体型のワンピース型下着などがあるが、これらのいずれにも適応することが出来る。
【図面の簡単な説明】
【００１１】
【図１】  正面図
【図２】  背面図
【図３】  着付け途中の正面図
【図４】  着付け完成正面図
【図５】  着付け完成背面図
【考案を実施するための形態】
【００１２】  土台となる下着の前身頃の左右の肩に胸、鳩尾の補正具を取り付け、これらの補正具は肩のみで固定し体型に合わせて左右に可動し、下着の後身頃にウエスト、腰の補正が一体となったものを取り付ける。  胸、ウエストの補正具にはそれぞれ補正を足す為の開口部がある。
【実施例】
【００１３】  本考案の実施例を説明する。土台となる肌着の前方肩山２にバストの押さえの役目と胸のくぼみをふっくらと補正する前補正具１を左右の肩に取り付け、補正具１は取り付け部以下で可動し、１を体型に応じ胸にそわせクロスすることで鳩尾３の補正機能を持たせた。【００１４】土台となる肌着の後方には腰の補正とウエストの補正が出来る一体型補正具４を取り付け、痩せた方、太った方等体型の違うウエストにも使用できるようにウエストの補正部分は巻き込み式にした。【００１５】ウエストの補正具で前の３を上から抑えるように挟み込み、それにより１，３，４，を安定した位置で苦しくなく固定し、補正部分が動かず着崩れない。【００１６】前の補正部、ウエストの補正部それぞれに体型に応じて不足した補正が出来るように開口部を作った。
【符号の説明】
【００１７】１  胸の補正部分
２  １を固定した部分
３  １がクロスして鳩尾の補正になる部分
４  ウエスト腰の補正部分
５  胸補正の開口部
６  ウエスト補正の開口部
７  土台の下着
【図１】
0003171429.tif 000003
【図２】
0003171429.tif 000004
【図３】
0003171429.tif 000005
【図４】
0003171429.tif 000006
【図５】
0003171429.tif 000007
【手続補正書】
【提出日】平成23年5月6日(2011.5.6)
【手続補正１】
【補正対象書類名】実用新案登録請求の範囲
【補正対象項目名】全文
【補正方法】変更
【補正の内容】
【実用新案登録請求の範囲】
【請求項１】
土台となる各種和装下着の前身頃の左右の肩山のみで固定された厚みのある台形型の補正具はウエストまでの長さを有し、胸を覆うように垂れ下った部分の外側で鎖骨下に胸の厚みを調節可能にする開口部を持ち、かつ前胸部の補正したい部位に可動しウエストで交差して鳩尾の補正機能を持ち、後身頃中央に固定された帯状の補正具は腰の補正をする厚みのある腰布団とウエストの補正をする厚みがあり差し込み固定出来る十分な長さを有した補正具が一体化して帯状をなし、帯状の補正具の脇部分には厚み調節のための開口部があり、帯状の補正具を差し込み固定することで前補正具を安定させる機能を有する着物用一体型補正下着
【手続補正書】
【提出日】平成23年8月15日(2011.8.15)
【手続補正１】
【補正対象書類名】実用新案登録請求の範囲
【補正対象項目名】全文
【補正方法】変更
【補正の内容】
【実用新案登録請求の範囲】
【請求項１】
和装下着と、
該和装下着の肩山前方にその一端部が固定され、その他端部が自由端となっている第１補整部材と、
該和装下着の背面にその中央部が固定され、かつ、その両端部は自由端となっている第２補整部材とからなり、
前記第１補整部材は、着用者の腹部近傍までの長さを有し、
前記第２補整部材は、着用者の腹部に巻き付け可能な長さを有し、
前記第１補整部材を互いに着用者の胸元で交差させた状態で、
前記第２補整部材の一端側を着用者の腹部に巻き付けて前記第１補整部材の前記他端部を押圧するとともに、
該第２補整部材の他端側を巻き付けてその端部を前記和装下着との間隙に差し込んで、
前記第１補整部材及び前記第２補整部材を固定できるように構成されていることを特徴とする着物用一体型補整下着。
【請求項２】
前記第１補整部材は、前記他端部が前記一端部よりも幅広な台形形状となっていることを特徴とする請求項１記載の着物用一体型補整下着。
【請求項３】
前記第１補整部材の上端部には、開口部が設けられていることを特徴とする請求項１又は２記載の着物用一体型補整下着。
【請求項４】
前記第２補整部材の前記中央部には、腰パッドが設けられていることを特徴とする請求項１〜３のいずれか一項に記載の着物用一体型補整下着。